(57)【要約】【課題】簡易カードが形成されたシートをプリントし易い形態とし、カード以外の部分を安価な材料とすることによってカード付きシートのコストダウンを達成したカード付きシートを提供することを目的とする。【解決手段】重ならないように並べられた２種類の基材からなる印字用基材と、支持基材とが少なくとも一部に剥離構造を介して貼り合わされた貼り合わせシートにおいて、一方の印字用基材はプラスチックで構成され、残る一方の印字用基材は前記プラスチックと近似の厚さを有する異種材料で構成され、プラスチックで構成された印字用基材には、印字用基材を貫通するカード状の切込みが形成され、剥離構造は、少なくともプラスチックで構成された印字用基材側に形成されたカード付きシートを提供する。【選択図】  図１
2006264197.tif 000002
【特許請求の範囲】
【請求項１】
重ならないように並べられた２種類の基材からなる印字用基材と、支持基材とが少なくとも一部に剥離構造を介して貼り合わされた貼り合わせシートにおいて、
一方の印字用基材はプラスチックで構成され、残る一方の印字用基材は前記プラスチックと近似の厚さを有する異種材料で構成され、
プラスチックで構成された印字用基材には、印字用基材を貫通するカード状の切込みが形成され、
剥離構造は、少なくともプラスチックで構成された印字用基材側に形成されたことを特徴とするカード付きシート。
【請求項２】
請求項１に記載のカード付きシートにおいて、
２種類の基材からなる印字用基材は、少なくとも一方の長さが等しい矩形状を成すことを特徴とするカード付きシート。
【発明の詳細な説明】
【技術分野】
【０００１】
本発明は、カード付きシートに関し、詳しくは、簡易カードが形成されたシートをプリントし易い形態とし、カード以外の部分を安価な材料とすることによってカード付きシートのコストダウンを図ったカード付きシートに関する。
【背景技術】
【０００２】
従来のカード付きシートは、カード部分の厚みが他に比べて厚いために全体が傾いてしまうことから、梱包作業に手間がかかるという問題があったり、また、プリンタにセッティングする際にも極めて作業性が悪かった。
さらに、カード付きシートを郵送する場合に、封入封緘作業も極めて非効率的であった。そこで、梱包、出力、封入封緘時における作業性を改善したカード付きシートが提案されている（例えば、特許文献１参照）。
特許文献１で開示されているカード付きシートは、プリンターのトラクターピンに係合する複数の孔を設けたトラクター係止部分を両端縁部に備えた帳票基材と、該帳票基材の表面に剥離可能な状態で貼着されたカードから成るカード付きシートにおいてカードの厚みと同等の厚みのシート片を帳票基材におけるカード貼着部以外の表面または裏面に貼り付けたものである。
【０００３】
【特許文献１】特開平６−４８０７２号公報
【発明の開示】
【発明が解決しようとする課題】
【０００４】
特許文献１に開示されている技術は、完成したキャッシュカード、クレジットカード、会員カード等のカードを、擬似接着層を有する貼着シートを介して帳票に接着し、厚さ調整シートをさらに貼付し、プリンタで宛先情報を印字し、封入封緘装置によって封入封緘されるカード付きシートに関するものである。
【０００５】
本発明は、簡易カードが形成されたシートをプリントし易い形態とし、カード以外の部分を安価な材料とすることによってカード付きシートのコストダウンを達成したカード付きシートを提供することを目的とする。
【課題を解決するための手段】
【０００６】
前記課題の目的を達成するために、本発明のカード付きシートの請求項１に記載の発明は、重ならないように並べられた２種類の基材からなる印字用基材と、支持基材とが少なくとも一部に剥離構造を介して貼り合わされた貼り合わせシートにおいて、一方の印字用基材はプラスチックで構成され、残る一方の印字用基材は前記プラスチックと近似の厚さを有する異種材料で構成され、プラスチックで構成された印字用基材には、印字用基材を貫通するカード状の切込みが形成され、剥離構造は、少なくともプラスチックで構成された印字用基材側に形成されたことを特徴とするものである。
【０００７】
また、請求項２に記載の発明は、請求項１に記載の発明において、２種類の基材からなる印字用基材は、少なくとも一方の長さが等しい矩形状を成すことを特徴とするものである。
【発明の効果】
【０００８】
１）請求項１に記載のように、重ならないように並べられた２種類の基材からなる印字用基材と、支持基材とが少なくとも一部に剥離構造を介して貼り合わされた貼り合わせシートにおいて、一方の印字用基材はプラスチックで構成され、残る一方の印字用基材は前記プラスチックと近似の厚さを有する異種材料で構成され、プラスチックで構成された印字用基材には、印字用基材を貫通するカード状の切込みが形成され、剥離構造は、少なくともプラスチックで構成された印字用基材側に形成されたことによって、シート全体が均一な厚さ構造となるために、ノンインパクトプリンタ、特にノンインパクトプリンタのカット紙プリンタによるプリント適正に優れ、カードとして利用する部分がプラスチックであることによってカードに耐久性が要求される分野に利用することができる。
２）また、請求項２に記載のように、請求項１に記載の発明において、２種類の基材からなる印字用基材は、少なくとも一方の長さが等しい矩形状を成すことによって、貼り合わせシートを製造する際に連続フォーム製造装置で効率良く製造することができ、そのために製造コストを安くすることができる。
【発明を実施するための最良の形態】
【０００９】
以下、図面を参照して本発明のカード付きシートについて説明する。
図１は、本発明のカード付きシートの一例について説明するための図，図２は、本発明のカード付きシートの他の一例について説明するための図，図３は、図１のＡ−Ａ線断面の一例について説明するための図，図４は、図１のＢ−Ｂ線断面の一例について説明するための図，図５は、従来のカード付きシートの一例について説明するための図，図６は、図５のＣ−Ｃ線断面の一例について説明するための図，図７は、図５のＣ−Ｃ線断面の他の一例について説明するための図，である。
【００１０】
図１を参照して、本発明のカード付きシートの一例について説明する。
図１はカード付きシートの印字面を正面から見た図である。図でわかるように、支持基材１３の上に、２種類の印字用基材（プラスチック１１のシート，異種材料１２のシート）が貼り合わされている。図１に示す例では、２種類の印字材料はカード付きシートの長手方向に平行に、同じ長さで支持基材に上に貼り合わされている。
印字用基材のプラスチック（以下、プラスチックシートという。）１１には、プラスチックシートを貫通したカード形状の切込み１４が形成されている。
プラスチックシートの裏側の切込み周辺および切込みに囲まれた内側（以下、カードという。）には剥離剤層が形成されており、切込み１４に沿って内側のプラスチックシートがカード状に支持基材１３から剥がせるようになっている。
【００１１】
異種材料（この異種材料という表現は、同じ印字用基材であるがプラスチックシートとは異なる材料という意味で使用している。）は、カード付きシートの材料費を安くするために用いるもので、通常安価な紙が使用され、以下の説明では「異種材料」を単に「紙」という。
【００１２】
プラスチックシート１１と、紙１２は同じ厚さになるように材料が選択される。
また、プラスチックシート１１の裏側には全面に、または、カードの裏面だけに剥離剤が塗布されている。また、紙１２の裏側には粘着剤または接着剤が全面、または、部分的に塗布され、支持基材と貼り合わされている。
【００１３】
印字用基材であるカードの表面には、カードであることを表示するためのデザインや文字情報が印刷され、紙１２の印字面側にはカード使用上の注意に関する文言等が印刷されている。
プラスチックシート１１のカードの表面には、カードに関する情報が印字され、紙１２の印字面側にはカードを送付する送付先の宛先情報や氏名情報などがカット紙プリンタなどによって印字される。
【００１４】
カード付きシート１は、印字された後そのままの状態で、または、折り畳まれて封筒に入れられ、封筒の窓から宛先情報を読取ることができる状態で送付される。
【００１５】
図２を参照して、本発明のカード付きシートの他の一例について説明する。
図２に示す例は、カード付きシート１００の印字用基材のほとんどが紙１２０で、カード１１０が、紙の切込み１４０の内側開口部に表出した支持基材１３０面に貼付されている。
カード１１０および紙１２は、同じ厚さになるように選択される。
紙１２０の印字面には宛先情報１２１０が、カード１１０の表面にはカードに関する情報が印字される。
【００１６】
図１に示す例と、図２に示す例の違いについて説明する。
図１に示す例は、連続フォーム製造設備を使用して製造できるが、プラスチック材料を無駄にする欠点がある。
また、図２に示す例は、プラスチックの材料に無駄が発生せず材料的には安価であるがカードを仕上げた状態でカード付きシートの開口部に貼付する製造設備を保有している必要がある。
したがって、保有する製造設備との関連で製造手段を選択する。
【００１７】
図３を参照して、図１のＡ−Ａ線断面の一例について説明する。
図１のＡ−Ａ線断面は印字用基材の一方であるラスチックシート１１の断面である。
プラスチックシート１１の印字部１１１にはカード情報が印字され、カード形状に切込み１４が少なくともプラスチックシート１１を貫通する状態で形成される。
プラスチックシート１１の裏側には、剥離剤層２が形成されており、その下側、支持基材１３の表面には接着剤層３が形成されている。
図では、プラスチックシート１１の裏側は、全面に剥離剤層が形成されているがカードの裏側にだけ形成されてもよい。
【００１８】
図４を参照して、図１のＢ−Ｂ線断面の一例について説明する。
図１のＢ−Ｂ線断面は、図１のＡ−Ａ線断面を直角に横切る断面でプラスチックシート１１と紙１２を横切る断面である。
プラスチックシート１１と紙１２は、同じ厚さになるように選択されており、カード付きシートを積み重ねた際に一方に傾かないように、また、印字の際にノンインパクトプリンタの転写ドラムが２種類の印字用基材に均一に接触するように配慮されている。
プラスチックシート１１，紙１２の裏側には、剥離剤層２が形成されており、その下側、支持基材１３の表面には接着剤層３が形成されている。
図では、プラスチックシート１１，紙１２の裏側は、全面に剥離剤層が形成されているが少なくとも紙１２側には形成しなくても良い。
【００１９】
図３、図４で説明したカード形成部および近傍の剥離構造は、接着剤層が粘着剤であるか接着剤であるかによって剥離剤層に使用する材料の選択が変わってくる。
【００２０】
図５を参照して、従来のカード付きシートの一例について説明する。
図５は、従来のカード付きシート５を印字面から見た図である。
印字用基材５２の上に、カード５１が貼付されている。カードは、カード形状に打ち抜かれた状態で粘着ラベルなどによって貼付されている。
カードの表面には、カードであることを表示するためのデザインや文字情報が印刷され、紙５２の印字面側にはカード使用上の注意に関する文言等が印刷されている。
カード５１の表面には、カードに関する情報が印字され、紙５２の印字面側にはカードを送付する送付先の宛先情報や氏名情報などの印字情報５２１がインパクトプリンタ，ノンインパクトプリンタによって印字される。
【００２１】
図６を参照して、図５のＣ−Ｃ線断面の一例について説明する。
カード５１の表面には印字部５１１が形成されており、印字される前の印刷インキや、トナーなどの層が形成されている。
カード５１の裏側には、剥離剤層２，その下側、印字用基材５２の表面には接着剤層３が形成されている。
このカード付きシート５の場合は、カード５１はプラスチックなどの材料で構成される場合が多い。
【００２２】
図７を参照して、図５のＣ−Ｃ線断面の他の一例について説明する。
図７に示す例は、カード６２０が、印字用基材６２の裏側に接着剤層，剥離剤層を介して貼付された支持基材６３で支えられているカード付きシート６の例である。
この場合は、印字用基材の材料と、カードの材料が同一の場合で、多くはカードの材質が紙でよい場合に利用される形態である。
【００２３】
図６に示す例も、図７に示す例も、カード形成部と他の部分とは厚さが異なるために複数枚積載したときに給紙ボックス内で崩れてしまったり、給紙部で的確にフィードされない場合が多く、プリンタでまとめて印字することは難しい。
【００２４】
（材料）
図４を参照して、本発明のカード付きシートに使用される材料の一例について説明する。
印字用基材のプラスチックシート１１として、ノンインパクトプリンタでプリント可能なように、熱に対する軟化温度が比較的高いポリプロピレン，ポリスチレン，ポリエステル等を選択する。
また、不透明性と白さを付与するために無機物を混入し、印字特性を高めるために表面材料を発泡させ、厚さ２５〜５０μｍのものを選択して使用する。
印字用基材の紙１２として、４０〜１２８ｇ／ｍ2の上質紙，コート紙，クラフト紙などの紙の中からプラスチックシートに厚さをあわせ選択する。
また、支持基材１３として、４０〜１０５ｇ／ｍ2の上質紙，コート紙，クラフト紙などの中から選択して使用する。
印刷インキは、市販されているＵＶ乾燥型のオフセットインキや通常のオフセットインキを使用する。
また、プラスチックシートのカード形成部およびその近傍の剥離構造として、例えば、支持基材側に市販の熱可塑性樹脂による接着剤層３を形成し、プラスチックシートの少なくともカード形成部裏側に、市販のＵＶインキにシリコーンオイルを添加したものや、シリコーンアクリレートを添加したもので印刷し、剥離剤層２として使用する。
接着部に柔軟性を与えるために前記接着剤の代わりに粘着剤を使用することもできる。この場合も、プラスチックシートのカード形成部裏側に前記剥離インキを印刷して剥離剤層として使用する。
また、紙と支持基材の接着には、貼り合わせ装置の関連で、プラスチックシートの場合と同一の接着剤または粘着剤を使用する。
剥離剤が高価な場合は、紙１２の裏側には剥離剤層２を形成しない。
【産業上の利用可能性】
【００２５】
オフィスに設置されたプリンターなどでプリント行うことを前提とした簡易なＩＤカード，プライスカード，棚札などに利用できる。
【図面の簡単な説明】
【００２６】
【図１】本発明のカード付きシートの一例について説明するための図である。
【図２】本発明のカード付きシートの他の一例について説明するための図である。
【図３】図１のＡ−Ａ線断面の一例について説明するための図である。
【図４】図１のＢ−Ｂ線断面の一例について説明するための図である。
【図５】従来のカード付きシートの一例について説明するための図である。
【図６】図５のＣ−Ｃ線断面の一例について説明するための図である。
【図７】図５のＣ−Ｃ線断面の他の一例について説明するための図である。
【符号の説明】
【００２７】
１，５，６，１００  カード付きシート
２      剥離剤層
３      粘着剤層
１１    プラスチック
１２，１２０  異種材料，紙
１３，６３，１３０  支持基材
１４，６４，１４０  切込み
５１  １１０，６２０  カード
５２，６２  印字用基材
１１１，１２１，５１１，５２１，６２１，１２１０  印字部
【図１】
2006264197.tif 000003
【図２】
2006264197.tif 000004
【図３】
2006264197.tif 000005
【図４】
2006264197.tif 000006
【図５】
2006264197.tif 000007
【図６】
2006264197.tif 000008
【図７】
2006264197.tif 000009